(57)【要約】【課題】吸水機能を有するおむつを保持部から１つずつ取り外すことなく、容易に洗濯可能としたおむつ保持具およびこれを用いたおむつセットの提供。【解決手段】吸水機能を有するおむつ１と、このおむつ１を保持するおむつ保持具２とからなるおむつセットであり、おむつ保持具２は、おむつ１を保持する保持部３と、この保持部３の長手方向両端部３ａ，３ｂのみが固定された保持具本体４とからなる。おむつ保持具２は、洗濯機内で揉まれる際、その保持部３の長手方向両端部３ａのみが保持具本体４に支持された状態であるため、中央部が保持具本体４から離れて自在に湾曲し、保持部３に保持されたおむつ１は、保持部３から押し出され、おむつ保持具２から完全に分離されて、おむつ保持具２とともに洗濯される。【選択図】  図１
2005185310.tif 000002
【特許請求の範囲】
【請求項１】
おむつを保持する保持部と、同保持部の一方向両端部のみを固定した保持具本体とからなるおむつ保持具。
【請求項２】
前記保持部は、前記おむつの側縁部を係止する係止部を有する請求項１記載のおむつ保持具。
【請求項３】
前記保持具本体に固定されていない保持部の係止部は、中央部分に伸縮可能なギャザーを形成したものである請求項２記載のおむつ保持具。
【請求項４】
前記保持具本体の前記保持部より外側の部分の表面をポリエステル素材により形成した請求項１から３のいずれかに記載のおむつ保持具。
【請求項５】
請求項１から４のいずれかに記載のおむつ保持具の保持部に吸水機能を有するおむつを保持したおむつセット。
【発明の詳細な説明】
【技術分野】
【０００１】
本発明は、洗濯によって再利用可能なおむつ保持具およびこれを用いたおむつセットに関する。
【背景技術】
【０００２】
従来、病院や老人ホーム等において使用される大人用おむつは、吸水性のある布地を扁平な矩形状にして縫製された簡単な形状のものが主である。また、おむつの取り替え作業は相当な労力が必要であり、介護者に高負担を強いるので、おむつの布地の枚数を増やすなどして対応している。最近では、おむつカバーの内側に尿を吸収して保持するおむつ補助具を装着しておくことで、おむつカバー側に漏れる尿の量を減らし、介護者の負担を軽減する工夫もなされている。
【０００３】
この種のおむつとして、例えば特許文献１，２に記載のものが知られている。これらのおむつは、吸水性および保水性を有するおむつ（補助具）を装着者の股部にあてがい、その上からおむつカバーを被せ、このおむつとともにおむつカバーによって装着者の股部に固定するようにして使用される。
【０００４】
特に、特許文献２に記載のおむつ補助具では、おむつカバーによって固定するおむつ補助具自体も、その吸水材を保持部から着脱可能とし、使用後に尿を含んだ吸水材のみを新しいものと交換し、保持部を洗濯することで何度も使用できるようにしている。また、この保持部には、ダム部を設け、吸水材の位置ずれを阻止するようにしている。
【０００５】
【特許文献１】登録実用新案第３０３４０６５号公報（第８−９頁、図１）
【特許文献２】特開２００１−１８７０７８号公報（第３頁、図１）
【発明の開示】
【発明が解決しようとする課題】
【０００６】
ところが、特許文献２に記載のおむつ補助具では、吸水材を保持部から着脱可能としているものの、吸水材の位置ずれを防止するために保持部にはダム部を設けているため、吸水材は保持部に対してしっかりと固定されている。そのため、保持部の洗濯の際には、吸水材を保持部から手作業により１つずつ取り外す必要がある。
【０００７】
そこで、本発明においては、吸水機能を有するおむつを保持部から１つずつ取り外すことなく、容易に洗濯可能としたおむつ保持具およびこれを用いたおむつセットを提供することを目的とする。
【課題を解決するための手段】
【０００８】
本発明のおむつ保持具は、おむつを保持する保持部と、保持部の一方向両端部のみを固定した保持具本体とからなる。本発明のおむつ保持具は、吸水機能を有するおむつを保持部に保持しておむつセットとして使用する。使用後のおむつセットは、おむつを保持部から取り外すことなくそのまま洗濯機に投入して洗濯する。
【０００９】
おむつ保持具は、洗濯機内で揉まれる際、その保持部の一方向両端部のみが保持具本体に支持された状態であるため、中央部が保持具本体から離れて自在に湾曲する。これにより、保持部に保持されたおむつは、保持部から押し出され、おむつ保持具から完全に分離されて、おむつ保持具とともに洗濯される。
【００１０】
保持部は、おむつの側縁部を係止する係止部を有することが望ましい。おむつの側縁部を係止することにより、おむつの使用時にはおむつの位置ずれを阻止することができる。また、おむつの洗濯時には、おむつの側縁部のみが係止されていることにより、保持部の中央部が保持具本体から離れて自在に湾曲する際、その係止状態が解かれやすくなる。これにより、保持部に保持されたおむつは、おむつ保持具から容易に分離されるようになる。
【００１１】
保持具本体に固定されていない保持部の係止部は、中央部分に伸縮可能なギャザーを形成したものであることが望ましい。これにより、おむつの使用時にはギャザーが縮むことによって装着者の内股におむつをフィットさせることができる。また、おむつの洗濯時には、ギャザーが伸びることによっておむつの係止部の動きの自由度が増し、おむつの係止部の係止状態がさらに解かれやすくなる。これにより、保持部に保持されたおむつは、おむつ保持具からさらに容易に分離されるようになる。
【００１２】
また、本発明のおむつ保持具は、保持具本体の保持部より外側の部分の表面をポリエステル素材により形成したものとするのが望ましい。保持具本体の保持部より外側の部分の表面は、保持部に保持するおむつが装着者に接する面と同じ面となるが、この表面がポリエステル素材により形成されることによって、おむつの装着時の肌触りを良くすることができる。
【発明の効果】
【００１３】
（１）おむつを保持する保持部と、保持部の一方向両端部のみを固定した保持具本体とからなるおむつ保持具によって、おむつの使用後は、おむつを保持部から取り外すことなくそのまま洗濯機に投入することにより、保持部に保持されたおむつが自動的におむつ保持具から完全に分離されて、おむつ保持具とともに洗濯されるため、容易に洗濯することが可能となる。
【００１４】
（２）保持部が、おむつの側縁部を形成する係止部を有することにより、おむつの使用時にはおむつの位置ずれを阻止することができることに加え、おむつの洗濯時には、保持部に保持されたおむつが、より容易におむつ保持具から分離されるようになり、より洗濯の容易性を向上させることが可能となる。
【００１５】
（３）保持具本体に固定されていない保持部の係止部が、中央部分に伸縮可能なギャザーを形成したものであることにより、おむつの使用時にはギャザーが縮むことによって装着者の内股におむつをフィットさせることができることに加え、おむつの洗濯時には、ギャザーが伸びることによって、保持部に保持されたおむつが、さらに容易におむつ保持具から分離されるようになり、さらに洗濯の容易性を向上させることが可能となる。
【００１６】
（４）保持具本体の保持部より外側の部分の表面をポリエステル素材により形成したものとすることにより、おむつの装着時に、保持部に保持するおむつが装着者に接する面と同じ面となる保持具本体の保持部より外側の部分の表面の肌触りを良くすることができる。
【発明を実施するための最良の形態】
【００１７】
図１は本発明の実施の形態におけるおむつセットをおむつとおむつ保持具とに分離した状態を示す斜視図、図２はおむつ保持具の中央部の拡大断面図、図３はおむつの中央部の拡大断面図である。
【００１８】
図１に示すように、本発明の実施の形態におけるおむつセットは、吸水機能を有するおむつ１と、このおむつ１を保持するおむつ保持具２とからなる。おむつ保持具２は、おむつ１を保持する保持部３と、保持具本体４とからなる。保持部３は、その一方向（図１の例では長手方向）の両端部３ａ，３ｂが保持具本体４に縫い合わされることによって固定されている。
【００１９】
保持部３は、その一方向（図１の例では長手方向、以下、「長手方向」と称す。）の両端部にそれぞれ長手方向係止部５を備えるとともに、この長手方向係止部５を備える方向に対して垂直方向（以下、「幅方向」と称す。）の両側にそれぞれ幅方向係止部６を備える。長手方向係止部５および幅方向係止部６は、共に保持部３に保持するおむつ１の側縁部を係止するものであり、おむつ１の長手方向および幅方向の位置ずれを阻止する。
【００２０】
幅方向係止部６は、保持部３の幅方向両側を内側に折り曲げた状態で、その両端を保持具本体４の長手方向両端から若干間隔を空けて内側（５〜１５ｃｍ程度）の位置に縫い付けて形成したものである。また、幅方向係止部６の中央部分には、ゴムを縫い付けることにより伸縮可能に形成されたギャザー７を設けている。
【００２１】
長手方向係止部５は、保持部３の幅方向両端の幅方向係止部６同士を橋渡すように形成したものである。長手方向係止部５はその外側の縁を、上述の幅方向係止部６とともに、保持具本体４の長手方向両端から若干間隔を空けて内側（５〜１５ｃｍ程度）の位置に縫い付けることにより形成されている。
【００２２】
このように保持部３は、長手方向の両端部３ａのみを保持具本体４に縫い付けたものであるため、図２に示すように、その中央部は保持具本体４に固定されず、離れている。したがって、保持部３と保持具本体４との間には、隙間１０が形成されている。
【００２３】
図２に示すように、保持部３は、２枚の不織布１１，１２の間に薄いゴムやビニール等の防水材料１３を挟むことにより防水処理を施したものである。保持具本体４は、軽く薄い数種類の不織布１４，１５，１６，１７を重ね合わせ、周囲を縫い付けたものである。また、不織布１４，１５と不織布１６，１７との間には、吸水体１８を挟み込んである。
【００２４】
一方、この保持部３内に収容することにより保持するおむつ１は、図３に示すように、最も内側のアクリルとポリエステルの不織布２１を両側から挟み込むように、順次２枚１組で柔軟な防縮綿ネル２２、ポリエステルの網目織布２３、綿とポリエステルの交織布２４、ポリエステル１００％の不織布２５を重ね合わせ、周囲を縫い付けたものである。
【００２５】
網目織布２３は、ポリエステルの網目織とすることにより十分な水分透過性を持たせたものである。また、網目織布２３は、内側の防縮綿ネル２４が洗濯に耐えられるように保護するものである。不織布２１はその両側から防縮綿ネル２２により挟み込み、さらにその両外側からポリエステルの網目織布２３と一体縫製することにより強度を高めている。交織布２２は、良好な吸水機能を有しながら、その外側の不織布２１と相まってサラッと感を与えるために、綿とポリエステルの交織により滑らかな凸凹面を形成したものである。不織布２１は、強い撥水性と、蒸れ感をなくすための通気性とを有するようにポリエステル１００％の素材により形成したものである。なお、保持部３の両端部３ａよりも外側の部分の表面３ｂも、不織布２１と同様のポリエステル素材により形成している。
【００２６】
なお、本実施形態におけるおむつ保持具２に保持するおむつ１は、上記構造のものを用いるのが望ましいが、上記構造以外のものであっても利用可能である。また、おむつ保持具２についても、上記材料以外の材料により形成することが可能である。
【００２７】
次に、上記構成のおむつセットの使用方法について説明する。まず、おむつ１の長手方向両端部１ａをおむつ保持具２の保持部３の長手方向係止部５の下方に入れ込むとともに、おむつ１の幅方向両端部１ｂを幅方向係止部６の下方に入れ込む。このとき、おむつ保持具２の保持部３の幅方向係止部６に形成されたギャザー７が伸びることによって、おむつ１を容易に保持部３に収容し、保持させることができる。
【００２８】
また、保持部３と保持具本体４とが保持部３の両端部３ａのみで保持具本体４に縫い付けられており、保持部３と保持具本体４との間に隙間１０が形成されていることから、保持部３の中央部を保持具本体４から離して自在に湾曲させておむつ１を容易に収容することができる。保持部３に装着されたおむつ１は、長手方向係止部５によって長手方向の位置ずれが阻止されるとともに、幅方向係止部６によって幅方向の位置ずれが阻止されるため、保持部３にしっかりと保持された状態となっている。
【００２９】
続いて、おむつ１を装着したおむつ保持具２（おむつセット）を、おむつ１が装着者の下腹部から尻部にかけて覆うようにあてがい、その上から腰部に公知のおむつカバー（図示せず。）を装着して固定する。
【００３０】
使用後は、おむつセットを、おむつ１を保持部３から取り外すことなくそのまま洗濯機に投入して洗濯する。このとき、おむつ保持具２は、洗濯機内で揉まれる際、その保持部３の長手方向両端部３ａのみが保持具本体４に支持された状態であるため、中央部が保持具本体４から離れて自在に湾曲する。これにより、保持部３に保持されたおむつ１は、保持部３から押し出され、おむつ保持具２から完全に分離されて、おむつ保持具２とともに洗濯される。図４の（ａ）〜（ｃ）は、おむつ保持具２の保持部３が保持具本体４から離れて湾曲し、おむつ１がおむつ保持具２から分離される様子を示している。
【００３１】
このように、本実施形態におけるおむつ保持具２は、おむつ１を保持する保持部３と、保持部３の長手方向両端部３ａのみを固定した保持具本体４とにより構成したため、おむつ１の使用後は、おむつ１を保持部３から取り外すことなくそのまま洗濯機に投入することにより、保持部３に保持されたおむつ１が自動的におむつ保持具２から完全に分離されて、おむつ保持具２とともに洗濯されるため、容易に洗濯することが可能となる。
【００３２】
また、本実施形態におけるおむつ保持具２は、その保持部３が、おむつ１の側縁部を形成する係止部５，６を有することにより、おむつ１の使用時にはおむつ１の位置ずれを阻止することができることに加え、おむつ１の洗濯時には、おむつ１の側縁部１ａ，１ｂのみが係止されていることにより、保持部３の中央部が保持具本体４から離れて湾曲する際、その係止状態が解かれやすくなっている。これにより、保持部３に保持されたおむつ１は、より容易におむつ保持具２から分離されるようになり、より洗濯の容易性が向上している。
【００３３】
さらに、保持具本体４に固定されていない幅方向係止部６が、中央部分に伸縮可能なギャザー７を形成したものであることから、おむつ１の使用時にはギャザー７が縮むことによって装着者の内股におむつ１をフィットさせることができることに加え、おむつ１の洗濯時には、ギャザー７が伸びることによって、おむつ１の係止部３の動きの自由度が増し、おむつ１の係止部３の係止状態がさらに解かれやすくなっている。これにより、保持部３に保持されたおむつ１は、さらに容易におむつ保持具２から分離されるようになり、さらに洗濯の容易性が向上している。
【００３４】
その上、本実施形態におけるおむつ保持具２は、保持具本体４の保持部３より外側の部分３ｂの表面を、おむつ１の表面と同様、ポリエステル素材により形成していることから、おむつ１の装着時の肌触りが良い。
【産業上の利用可能性】
【００３５】
本発明のおむつ保持具は、洗濯によって再利用可能なおむつを保持する保持具として有用であり、特に吸水機能を有するおむつを保持部から１つずつ取り外すことなく、容易に洗濯可能としたおむつ保持具として好適である。
【図面の簡単な説明】
【００３６】
【図１】本発明の実施の形態におけるおむつセットをおむつとおむつ保持具とに分離した状態を示す斜視図である。
【図２】おむつ保持具の中央部の拡大断面図である。
【図３】おむつの中央部の拡大断面図である。
【図４】おむつがおむつ保持具から分離される様子を示す説明図である。
【符号の説明】
【００３７】
１  おむつ
２  おむつ保持具
３  保持部
４  保持具本体
５  長手方向係止部
６  幅方向係止部
７  ギャザー
１１，１２，１４，１５，１６，１７  不織布
１３  防水材料
１８  吸水体
２１  不織布
２２  交織布
２３  網目織布
２４  防縮綿ネル
２５  不織布
【図１】
2005185310.tif 000003
【図２】
2005185310.tif 000004
【図３】
2005185310.tif 000005
【図４】
2005185310.tif 000006